(57)【要約】      （修正有）【課題】水平・上下方向への往復回動を利用する送風ファンの略矩形のサイクル軌跡移動を利用して、送風範囲を可及的に拡大し、広範囲な送風を行うことができる方位角度調整可能な昇降式防霜ファン装置を提供する。【解決手段】圃場に立設した支柱に設けた中継ベースと、中継ベースに設けた支柱昇降用の昇降ボックスと、中継ベースに第1枢軸を介して設けた回転可能な方位首振り装置、及び防霜ファンの水平首振り装置とを備えた中継ボックスと、中継ボックスの水平首振り装置に設けた第2枢軸を介して設けた俯角調整用の俯角ベースと、俯角ベースに可動可能に設けた防霜ファンとで構成した方位角度調整可能な昇降式防霜ファン装置である。【選択図】図１−１
2005188437.tif 000002
【特許請求の範囲】
【請求項１】
圃場に立設できる支柱と、この支柱に設けた中継ベースと、この中継ベースに設けた支柱昇降用の昇降ボックスと、この中継ベースに第1枢軸を介して設けた回転可能な方位角度調整用の方位首振り装置、及び防霜ファンの水平首振り用の水平首振り装置とを備えた中継ボックスと、この中継ボックスの水平首振り装置に設けた第2枢軸を介して設けた俯角調整用の俯角ベースと、この俯角ベースに可動可能に設けた防霜ファンとで構成した方位角度調整可能な昇降式防霜ファン装置。
【請求項２】
請求項1に記載の方位首振り装置は、第1枢軸に設けた従動側クランクと、この従動側クランクが係止される環状のカムと、この環状のカムを支持する回動側クランクと、この回動側クランクを駆動する第1モータとで構成された方位角度調整可能な昇降式防霜ファン装置。
【請求項３】
請求項1に記載の水平首振り装置は、中継ボックスに設けた仕切り板に設けた従動側クランクと、この従動側クランクが係止されるクランクアームと、このクランクアームに連繋される回転側クランクと、この回転クランクを駆動する第2モータとで構成された方位角度調整可能な昇降式防霜ファン装置。
【請求項４】
請求項1に記載の支柱は、シリンダーのピストンロッドの伸張を利用して起立する構成とした方位角度調整可能な昇降式防霜ファン装置。
【請求項５】
請求項1に記載の支柱は、入れ子式の機構を利用して伸縮可能な構成とした方位角度調整可能な昇降式防霜ファン装置。
【発明の詳細な説明】
【技術分野】
【０００１】
本発明は、方位角度調整可能な昇降式防霜ファン装置に関する。
【背景技術】
【０００２】
周知の如く、茶園(茶畠)、桑畠、果樹園、果菜類、野菜類等圃場(農場)の凍霜害防止（防霜及び／又は蒸れ防止等）の中で、設置・メンテナンス等の簡便性と、価格の低廉化が図れる方法・装置(方式)として、防霜ファンによる逆転層の空気(暖気)を利用する方式(防霜ファン方法、又は防霜ファン装置)がある。この防霜ファンによる方式の一例を、茶園(圃場)の例を基に説明する。この装置は、圃場の枕地及び／又は圃場内に立設した建柱上に、一基の水平首振り自在な防霜ファンを設け、防霜ファンの地表面に対する俯角を略15°〜略50°程度（一例である。以下同じ）に維持した状態において防霜ファンの水平方向の首振りを利用し、この圃場の地表面で平面視して略90°〜略120°の扇形の面積に対して逆転層の暖気を吹き降ろす防霜ファン装置(方法)である。この防霜ファン装置では、通常は、略々150秒以内(一例である)に、最初の箇所に戻る(霜の降りる前に戻る)ことが望ましい条件であるので、前記扇形の面積を考えた場合には、逆転層の空気を吹き降ろした到達距離は、略々30m〜略々55m程度と考えられている。これら逆転層に関する防霜ファン装置は、公知事項であり、例えば、特開平7-115855号の凍霜害防除方法とその装置、特開平8-242707号の霜害防止装置等において開示されている。
【０００３】
前記防霜ファン装置は、暖気を有効利用し、効率的に防霜ができる特徴を発揮できる。しかし、近時、次のような問題点が指摘されている。「1」  近時、茶園の近代化、及び高齢化、人手不足等の見地から、乗用式、又はレール式、クローラー式等の大型の茶刈機、大型の防除機等の如く、大型の茶園管理装置が導入される傾向から、圃場内に立設する建柱が邪魔となり、この種の大型の茶園管理装置の導入が図れないこと、「2」  建柱式防霜ファンでは、防霜ファン一基による防霜効果は、必ずしも十分でなく、多数の建柱式防霜ファンが必要となり、設備費、維持管理費等が嵩むこと等である。
【０００４】
以上のような状況を踏まえて、昨今、昇降式の低所式防霜ファン装置が挙げられている。この昇降式の低所式防霜ファン装置は、茶樹内に容易に収容できることが特徴であり、またこの特徴を利用して茶園管理装置使用の際に、この茶園管理装置の走行・作業等の障害とならず、大変重宝されている。この低所式防霜ファンの常温空気の到達距離は、略々28〜38m程度となる(一例である)。しかし、近時、次のような問題点が指摘されている。「1」  低所式防霜ファンでは、暖気を効率的に捉えることができないので、防霜効果が、必ずしも十分でないこと、「2」  低所式防霜ファンの台数が多くなること、「3」  圃場の状況により、防霜ファンの方位及び/又は俯角を自由に調整して、より効率的な防霜を図り、また効率的な防霜を利用して防霜ファンの台数の減少化を図るには十分な方式とは云えないこと等である。
【０００５】
前述した「防霜ファンの方位及び/又は俯角を自由に調整して、より効率的な防霜を図り、また効率的な防霜を利用して防霜ファンの台数の減少化を図る」ことを意図した先行文献として、特開2002-45056の「農作物用の送風装置」がある(文献(1))。その概要は、農作物に上方から送風する送風装置であって、支持ポールに取付けた固定フレームに水平方向に回動可能に支承した可動アームと、可動アームに下向きに上下方向に回動可能に斜設して支承した固定アームと、この固定アームに設けた送風ファンを備えたファン駆動用の主モータと、前記可動アームを所定範囲の水平方向へ往復回動する第1の駆動機構と、前記主モータとともに送風ファンをほぼ起立した状態或いは若干下傾した上位位置からさらに俯角状態の下傾した下位位置間の上下方向へ往復回動する第2の駆動機構とでなり、前記上下方向への往復回動及び/又は水平方向への往復回動を利用して送風ファンが略矩形（横長の矩形）のサイクル軌跡の移動をなすように制御した構成である。この略矩形のサイクル軌跡の移動を利用して、送風範囲を可及的に拡大してより広範囲な送風が行えることを特徴とする。
【０００６】
【特許文献１】特開2002-45056
【発明の開示】
【発明が解決しようとする課題】
【０００７】
文献(1)は、単に送風範囲を可及的に拡大してより広範囲な送風を目的とする。従って、送風ファンの吹出基点を変更することはできない。この吹出基点を変更できないことは、取りも直さず圃場の所定場所への送風変更ができないことになり、例えば、思わぬ霜害を被ること、より効率的な送風が図れないこと等の課題が考えられる。また文献(1)の送風装置を茶園に設置した場合には、送風ファンを茶畝内に収容することができず、本発明が意図する茶園設置の防霜ファン、又は昇降式の防霜ファンには不向きである。尚、この文献(1)は第1の駆動機構と、第2の駆動機構とを個別のケース(ケーシング)に収容する構成を採用する。従って、嵩高となり、送風ファンを茶畝内に収容するには問題がある。従って、前述と同様に、茶園設置の防霜ファン、又は昇降式の防霜ファンには不向きである。
【課題を解決するための手段】
【０００８】
請求項1の発明は、圃場の状況により、防霜ファンの方位及び/又は俯角を自由に調整して、より効率的な防霜を図ること、また効率的な防霜を利用して防霜ファンの台数の減少化を図ること等を意図する。また方位角度調整機構(方位首振り装置)と、俯角調整機構(水平首振り装置)とを対峙関係に設けた(並設して設けた)構成を採用して、この方位角度調整と俯角調整とを組込んだ防霜ファン装置の小型化を達成すること、又は茶畝内収容方式の防霜ファンを提供すること等を意図する。
【０００９】
請求項1は、圃場に立設できる支柱と、この支柱に設けた中継ベースと、この中継ベースに設けた支柱昇降用の昇降ボックスと、この中継ベースに第1枢軸を介して設けた回転可能な方位角度調整用の方位首振り装置、及び防霜ファンの水平首振り用の水平首振り装置とを備えた中継ボックスと、この中継ボックスの水平首振り装置に設けた第2枢軸を介して設けた俯角調整用の俯角ベースと、この俯角ベースに可動可能に設けた防霜ファンとで構成した方位角度調整可能な昇降式防霜ファン装置である。
【００１０】
請求項2の発明は、請求項1の目的を達成することと、この請求項1の目的を達成するのに最適な方位首振り装置の提供とを意図する。
【００１１】
請求項2は、請求項1に記載の方位首振り装置は、第1枢軸に設けた従動側クランクと、この従動側クランクが係止される環状のカムと、この環状のカムを支持する回動側クランクと、この回動側クランクを駆動する第1モータとで構成された方位角度調整可能な昇降式防霜ファン装置である。
【００１２】
請求項3の発明は、請求項1の目的を達成することと、この請求項1の目的を達成するのに最適な水平首振り装置の提供とを意図する。
【００１３】
請求項3は、請求項1に記載の水平首振り装置は、中継ボックスに設けた仕切り板に設けた従動側クランクと、この従動側クランクが係止されるクランクアームと、このクランクアームに連繋される回転側クランクと、この回転クランクを駆動する第2モータとで構成された方位角度調整可能な昇降式防霜ファン装置である。
【００１４】
請求項4の発明は、請求項1の目的を達成することと、この請求項1の目的を達成するのに最適な支柱構造の提供とを意図する。
【００１５】
請求項4は、請求項1に記載の支柱は、シリンダーのピストンロッドの伸張を利用して起立する構成とした方位角度調整可能な昇降式防霜ファン装置である。
【００１６】
請求項5の発明は、請求項1の目的を達成することと、この請求項1の目的を達成するのに最適な支柱構造の提供とを意図する。
【００１７】
請求項5は、請求項1に記載の支柱は、入れ子式の機構を利用して伸縮可能な構成とした方位角度調整可能な昇降式防霜ファン装置である。
【発明の効果】
【００１８】
請求項1の発明は、圃場に立設できる支柱と、支柱に設けた中継ベースと、中継ベースに設けた支柱昇降用の昇降ボックスと、中継ベースに第1枢軸を介して設けた回転可能な方位角度調整用の方位首振り装置、及び防霜ファンの水平首振り用の水平首振り装置とを備えた中継ボックスと、中継ボックスの水平首振り装置に設けた第2枢軸を介して設けた俯角調整用の俯角ベースと、俯角ベースに可動可能に設けた防霜ファンとで構成した方位角度調整可能な昇降式防霜ファン装置である。
【００１９】
従って、請求項1は、圃場の状況により、防霜ファンの方位及び/又は俯角を自由に調整して、より効率的な防霜が図れること、また効率的な防霜を利用して防霜ファンの台数の減少化が図れること等の特徴がある。また方位角度調整機構(方位首振り装置)と、俯角調整機構(水平首振り装置)とを対峙関係に設けた(並設して設けた)構成を採用することで、この方位角度調整と俯角調整とを組込んだ防霜ファン装置の小型化が達成できること、又は茶畝内収容方式の防霜ファンを提供できること等の特徴がある。
【００２０】
請求項2の発明は、請求項1に記載の方位首振り装置は、第1枢軸に設けた従動側クランクと、従動側クランクが係止される環状のカムと、環状のカムを支持する回動側クランクと、回動側クランクを駆動する第1モータとで構成された方位角度調整可能な昇降式防霜ファン装置である。
【００２１】
従って、請求項2は、請求項1の目的を達成できること、また請求項1の目的を達成するのに最適な方位首振り装置を提供できること等の特徴がある。
【００２２】
請求項3の発明は、請求項1に記載の水平首振り装置は、中継ボックスに設けた仕切り板に設けた従動側クランクと、従動側クランクが係止されるクランクアームと、クランクアームに連繋される回転側クランクと、回転クランクを駆動する第2モータとで構成された方位角度調整可能な昇降式防霜ファン装置である。
【００２３】
従って、請求項3は、請求項1の目的を達成できること、またこの請求項1の目的を達成するのに最適な水平首振り装置を提供できること等の特徴がある。
【００２４】
請求項4の発明は、請求項1に記載の支柱は、シリンダーのピストンロッドの伸張を利用して起立する構成とした方位角度調整可能な昇降式防霜ファン装置である。
【００２５】
従って、請求項4は、請求項1の目的を達成できること、またこの請求項1の目的を達成するのに最適な支柱構造を提供できること等の特徴がある。
【００２６】
請求項5の発明は、請求項1に記載の支柱は、入れ子式の機構を利用して伸縮可能な構成とした方位角度調整可能な昇降式防霜ファン装置である。
【００２７】
従って、請求項5は、請求項1の目的を達成できること、またこの請求項1の目的を達成するのに最適な支柱構造を提供できること等の特徴がある。
【発明を実施するための最良の形態】
【００２８】
本発明の好ましい一例を以下に説明する。先ず、最初に図の説明をする。図1-1〜図1-4は昇降式の防霜ファン装置の作動(収容より起立までの一例)を説明する側面模式図、図2は昇降式の防霜ファン装置の茶畝内への収容を示した俯瞰図、図3は図2の側面図、図4は方位首振り装置を備えた昇降式の防霜ファン装置(昇降式の防霜ファン装置は原則として一例である)の俯瞰図、図5は図4の背面図、図6は図4の側面図、図7は中継ボックスの拡大断面図、図8は中継ボックスの方位首振り装置の要部を示した仰視図、図9は図8の側面図、図10は図8の方位首振り装置を構成する部品のカムを示した俯瞰図、図11は中継ボックスの水平首振り装置の要部を示した仰視図、図12は図11の側面図、図13は方位角度と首振り角度との関係を説明する説明図である。
【００２９】
図2、図3の茶園Aの茶樹Bの茶樹スペースB’(茶樹の背丈内)に収容できる昇降式の防霜ファン装置Cの概要とその昇降の作動を説明する。この防霜ファン装置Cは、茶園Aの地中の埋設ポール1と、この埋設ポール1に設けた起伏装置2と、この起伏装置2に設けた昇降ポール3と、この昇降ポール3に設けた板状でなる中継ベース4と、この中継ベース4に設けた昇降機構5を設けた昇降ボックス50と、この昇降機構5に併設した方位首振り装置6及び水平首振り装置7とを設けた中継ボックス60と、この中継ボックス60に設けた俯角調整装置8と、この俯角調整装置8に設けた防霜ファン9とを主構成とする。
【００３０】
以下、前記の各構成と作用を説明する。
【００３１】
図1-1〜図1-4、及び/又は図2、図3に示した起伏装置2の一例は、起伏装置2は、平面視してチャンネル型鋼材でなる起伏ベース20と、この起伏ベース20に支軸21を介して可動自在に設けた連結具22と、この連結具22と基礎ベース(図示せず)に設けた起伏用シリンダー23で構成されており、この連結具22に昇降ポール3の基端ポール3aが固止されている。従って、起伏シリンダー23の伸縮を利用して、連結具22が支軸21を軸として可動する。この可動を利用して昇降ポール3が起伏する。そして、好ましい方法としては、図1-1〜図1-3に示した如く、最初に昇降ポール3を起立させた後に、昇降機構5を利用して昇降ポール3を伸張し、この昇降ポール3の先端ポール3ｎ及びに昇降ボックス50、俯角調整装置8を介して設けた防霜ファン9を昇降することが望ましい。その理由は、安全性・起立の確保、又は後述する防霜ファン9の方位首振り装置6で、図1-4に示す如く、所定の方位角度への自動的な設置等が達成できることにある。
【００３２】
図1-1〜図1-4に示した昇降ポール3の一例では、基端ポール3ａ、中間ポール3ｂと先端ポール3ｎを入れ子式に構成し、この入れ子機構と後述する昇降機構5を利用して、伸張・収容される。またこの昇降機構5は、昇降ボックス50内のモータ51、このモータ51に設けられて昇降ポール3に貫設した螺軸52と、この螺軸52に螺合する螺合体53(昇降ポール3に付設する)とで構成されており、モータ51の回転により螺軸52を回転する。この回転を利用して少なくとも先端ポール3ｎに設けられている螺合体53を昇降することで、この螺合体53及び先端ポール3ｎの昇降を利用して、防霜ファン9を昇降する。この実施例では、昇降機構5は、螺軸52と螺合体53との螺合による構成である。しかし、この構成は一例であり、他の機構による場合もあり得る。例えば、チェーン又はワイヤー等の懸架機構がある。
【００３３】
図4〜図10に示した方位首振り装置6の一例において、この方位首振り装置6は、中継ベース4に設けた軸受け軸承した第1枢軸61と、この第1枢軸61に設けた従動側クランク62と、この従動側クランク62に設けたクランクアーム63と、中継ボックス60内の差渡し板に固定したモータ64と、このモータ64の軸に設けられた回転側クランク65と、この回転側クランク65に設けた前記クランクアーム63が枢支されるカム66とで構成される。そして、中継ボックス60に固定されたモータ64の回転は、回転側クランク65→カム66→クランクアーム63→従動側クランク62を介して第1枢軸61に伝わる。この状況を、図7〜図9を基に説明すると、モータ64の回転により回転側クランク65が回転し（図8の図面上で仮想イ矢印方向；この仮想は、本来の回転が逆となるので、この言葉を使用する）、この回転側クランク65と同時にカム66が回転し、このカム66の回転によりクランクアーム63が移動し（図8の図面上で左右方向であり、この図の状態において、0度から45度の場合には、図示の仮想ロ矢印方向）、これと同時に従動側クランク62が可動（例えば、図8の図面上で仮想ハ矢印方向）する。この一連の動作により、本来は第1枢軸61に回転（例えば、図8の図面上で仮想ニ矢印方向）が付与されることになる。しかし、この第1枢軸60は昇降ポール3に固定されていることから、前述した各仮想矢印方向の動きは、各部材の図示とは逆の回転及び移動（自転に準ずる）となり、中継ボックス60を方位方向に回転する（方位首振りとなる）。尚、方位方向の回転は、図示しないリミットスイッチを介して規制することで、所定の始端位置と終端位置に停止する構成を採用することが理想である。これによって、自動制御と、位置の確認ができること、遠隔操作が可能となること等の実益がある。そして、この一例では、方位角度は、図13において0度、45度、90度を図示するが、状況によりさらに精緻及び／又は広範囲に角度規制を行うことも可能である。
【００３４】
図4〜図6、図7、図11、図12に示した水平首振り装置7の一例は、この水平首振り装置7は、中継ボックス60内の差渡し板に固定したモータ70と、このモータ70の出力軸に設けたカム71と、このカム71に設けた回転側クランク72と、この回転側クランク72に設けたクランクアーム73と、このクランクアーム73に設けた従動側クランク74と、この従動側クランク74が設けられる前記中継ボックス60に設けた軸受けに軸承した第2枢軸75とで構成されている。尚、第2枢軸75は中継ボックス60の外に突出する。そして、中継ボックス60に固定されたモータ70の回転は、カム71→回転側クランク72→クランクアーム73→従動側クランク74を介して第2枢軸75に伝わる。この状況を、図7、図11、図12を基に説明すると、モータ64の回転によりカム71が回転し（図11の図面上でホ矢印方向）、このカム71と同時に回転側クランク72が回転し（図11の図面上でヘ矢印方向）、この回転側クランク72の回転によりクランクアーム73を移動し（図11の図面上でト矢印の左右方向に移動する）。このクランクアーム73の移動により従動側クランク74が可動し（例えば、図11の図面上でチ矢印方向に可動する）、この従動側クランク74の可動により第2枢軸75が往復動する。この第2枢軸75の往復動により、防霜ファン9は水平首振り(往復)動作をする(図13参照)。
【００３５】
前述の一例では、中継ボックス60に方位首振り装置6及び水平首振り装置7を設けた。しかし、図示しないが、使用の目的、経済性、確実な可動又はメンテナンス等を考慮して、例えば、この方位首振り装置6と水平首振り装置7を分離し、中継ベース4に方位首振り装置6及び／又は水平首振り装置7を設け、方位首振り装置6及び／又は水平首振り装置7を、後述する俯角調整装置8に併用する構成例、又はこの方位首振り装置6、水平首振り装置7又は俯角調整装置8とをそれぞれ個別に設置する構成例等が可能となる。尚、方位首振り装置6の上側に水平首振り装置7を設ける構成例が、安定性と、動作の確実性、又は構成の容易性等に有益と考えられる。
【００３６】
図4〜図6に示した俯角調整装置8の一例は、前記第2枢軸75に設けた略箱型の俯角ベース取付台80と、この俯角ベース取付台80に俯角支軸81及び俯角位置決め軸82を介して可動自在に設けた平面視して略山型状の俯角ベース83とで構成されている。そして、この例では、俯角ベース83に設けた円弧状長孔830(830)内を俯角位置決め軸82が移動することで、防霜ファン9の俯角を調整する。この調整の際に、俯角ベース83は俯角支軸81を支点として確実に可動する構成である。尚、俯角支軸81は、俯角位置決め軸82と対峙する位置関係として、俯角ベース83が、この俯角支軸81を支点として確実かつスムーズに可動できる構成とする。また俯角位置決め軸82はボルト等の緊締手段で、俯角ベース83に設ける。
【００３７】
尚、図4〜図6に示した俯角調整装置8の一例では、俯角位置決め軸82を、円弧状長孔830(830)内に祐度をもって設ける(移動可能に設ける)。これにより、図1-1〜図1-4に示す如く、地面(GL又は平坦な板材、滑り板材等)に設置した状態では、昇降ポール3の略延長線上におり(図1-1)、順次起立する過程で(図1-2〜図1-4)、防霜ファン9の自重で、所定の俯角に可動(また幾分の水平首振り角度の変更も可能である)する機構を採用して、機構の簡素化、又は確実な収容と、俯角の安定性・確保を図る。前記の可動は、図1-2において、自重で俯角が確保された後は、略同じ俯角でこの昇降ポール3が立ち上がる(図1-4)。そして、収容の場合には、図示しないが、前記の略俯角を確保した状態で地面に設置し(図1-2参照)、その後、昇降ポール3が地面に接近するに従って、図1-1の最初の状態に規制されながら戻る。尚、この自重による俯角の確保と、昇降ポール3の略延長線上による収容は一例であり、同じ作用をする他の機構でも採用できる。また俯角調整装置8の俯角は、所定の角度に固定する場合(図例)と、又は構造変更・部品の追加等を利用することで変更可能とする場合等があり得る。
【図面の簡単な説明】
【００３８】
【図１−１】防霜ファン装置の伏倒状態の側面図
【図１−２】防霜ファン装置の伏倒状態から起立に至る状態の側面図
【図１−３】防霜ファン装置の起立状態の側面図
【図１−４】防霜ファン装置の昇降ポールの伸張状態の側面図
【図２】防霜ファン装置を茶樹スペース内に収容した状態の俯瞰図
【図３】防霜ファン装置を茶樹スペース内に収容した状態の側面図
【図４】防霜ファンと俯角調整装置及び首振り装置との関係を説明する俯瞰図
【図５】防霜ファンと俯角調整装置及び首振り装置との関係を説明する一部欠截の背面図
【図６】防霜ファンと俯角調整装置及び首振り装置との関係を説明する側面図
【図７】方位首振り装置と水平首振り装置とを内蔵する中継ボックスの拡大断面図
【図８】図7の方位首振り装置の仰視図
【図９】図8の方位首振り装置の側面図
【図１０】図8の方位首振り装置のカムを示した俯瞰図
【図１１】図7の水平首振り装置の仰視図
【図１２】図11の水平首振り装置の側面図
【図１３】方位首振り装置及び水平首振り装置の動作を示した説明図
【符号の説明】
【００３９】
１             埋設ポール
２             起伏装置
２０           起伏ベース
２１           支軸
２２           連結具
２３           起伏用シリンダー
３             昇降ポール
３ａ           基端ポール
３ｂ           中間ポール
３ｎ           先端ポール
４             中継ベース
５             昇降機構
５０           昇降ボックス
５１           モータ
５２           螺軸
５３           螺合体
６             方位首振り装置
６０           中継ボックス
６１           第1枢軸
６２           従動側クランク
６３           クランクアーム
６４           モータ
６５           回転側クランク
６６           カム
７             水平首振り装置
７０           モータ
７１           カム
７２           回転側クランク
７３           クランクアーム
７４           従動側クランク
７５           第2枢軸
８             俯角調整装置
８０           俯角ベース取付台
８１           俯角支軸
８２           俯角位置決め軸
８３           俯角ベース
８３０         長孔
９             防霜ファン
Ａ             茶園
Ｂ             茶樹
Ｂ’           茶樹スペース
Ｃ             昇降式の防霜ファン装置
【図１−１】
2005188437.tif 000003
【図１−２】
2005188437.tif 000004
【図１−３】
2005188437.tif 000005
【図１−４】
2005188437.tif 000006
【図２】
2005188437.tif 000007
【図３】
2005188437.tif 000008
【図４】
2005188437.tif 000009
【図５】
2005188437.tif 000010
【図６】
2005188437.tif 000011
【図７】
2005188437.tif 000012
【図８】
2005188437.tif 000013
【図９】
2005188437.tif 000014
【図１０】
2005188437.tif 000015
【図１１】
2005188437.tif 000016
【図１２】
2005188437.tif 000017
【図１３】
2005188437.tif 000018